【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
椎骨間骨組形成システムであって、
中心ビームであって、
中心ビーム軸、
近位部分および遠位部分、
第１の上部‐横表面および第２の上部‐横表面を備える上部表面、
第１の下部‐横表面および第２の下部‐横表面を備える下部表面、
第１の上部‐側部表面および第１の下部‐側部表面を備える第１の側部表面、および
第２の上部‐側部表面および第２の下部‐側部表面を備える第２の側部表面を有する、前記中心ビーム、および
前記中心ビームに動作可能に接触して、ｉｎ  ｖｉｖｏで移植片送達システムを生成するように構成された、横垂直方向拡張フレームであって、
折畳み状態と、拡張状態であって、前記椎骨間腔内で前記中心ビームと動作可能に接触する前記拡張状態と、
端部を有する近位部分、端部を有する遠位部分、および前記拡張状態の中心フレーム軸と、
端部を有する近位部分、および端部を有する遠位部分を含む、第１の上部ビームであって、前記拡張状態において、前記中心ビームの前記第１の上部-横表面と前記中心ビームの前記第１の上部‐側部表面とに接触して、前記第１の上部ビームの中心軸が、少なくとも実質的に、（ｉ）前記第１の上部ビームの前記中心軸および第２の上部ビームの中心軸を包含する上部平面、および（ｉｉ）前記第１の上部ビームの前記中心軸および第１の下部ビームの中心軸を包含する第１の側部平面の上にあるように構成された、前記第１の上部ビームと、
端部を有する近位部分、および端部を有する遠位部分を含む、第２の上部ビームであって、前記拡張状態において前記中心ビームの前記第２の上部‐横表面および前記中心ビームの前記第２の上部‐側部表面に接触して、前記第２の上部ビームの中心軸が、少なくとも実質的に、（ｉ）前記上部平面、および（ｉｉ）第２の上部ビームの中心軸および第２の下部ビームの中心軸を包含する第２の側部平面の上にあるように構成された、前記第２の上部ビームと、
端部を有する近位部分、および端部を有する遠位部分を含む、第１の下部ビームであって、前記拡張状態において前記中心ビームの前記第１の下部‐横表面および前記中心ビームの前記第１の下部‐側部表面に接触して、前記第１の下部ビームの中心軸が、少なくとも実質的に、（ｉ）前記第１の下部ビームの中心軸および第２の上部ビームの中心軸を包含する下部平面、および（ｉｉ）前記第１の側部平面の上にあるように構成された、前記第１の下部ビームと、
端部を有する近位部分、および端部を有する遠位領域を含む、第２の下部ビームであって、前記拡張状態において、前記中心ビームの第２の下部‐横表面および前記中心ビームの前記第２の下部‐側部表面に接触して、前記第２の下部ビームの前記中心軸が、少なくとも実質的に、（ｉ）前記下部平面、および（ｉｉ）前記第２の下部ビームの前記中心軸および前記第２の上部ビームの前記中心軸を包含する、第２の側部平面の上にあるように構成された、前記第２の下部ビームと、
第１の上部ビームを第２の上部ビームに拡張可能に接続するように構成された、複数の上部コネクタ要素であって、拡張することが、少なくとも実質的に、前記上部平面の上の屈曲からなる、前記複数の上部コネクタ要素と、
前記第１の下部ビームを前記第２の下部ビームに拡張可能に接続するように構成された、複数の下部コネクタ要素あって、拡張することが、少なくとも実質的に、前記下部平面上での屈曲からなる、前記複数の下部コネクタ要素と、
第１の上部ビームを第１の下部ビームに拡張可能に接続するように構成された、複数の第１の側部コネクタ要素であり、拡張することが、少なくとも実質的に、前記第１の側部平面上での屈曲からなる、前記複数の第１の側部コネクタ要素と、
前記第２の上部ビームを前記第２の下部ビームに拡張可能に接続するように構成された、複数の第２の側部コネクタ要素であり、拡張することが、少なくとも実質的に、前記第２の側部平面上での屈曲からなる、前記複数の第２の側部コネクタ要素と、
を有する、前記横垂直方向拡張フレームを含み、
前記フレーミングは、ｉｎ  ｖｉｖｏで拡張状態において前記中心ビームと係合するように構成されており、前記コネクタ要素は、拡張状態のフレームの中心軸に垂直な方向の構造剛性を維持する縦方向厚さと横断方向厚さの横断面アスペクト比を有するように構成されたストラットである、前記移植片送達システム。
【請求項２】
フレームの遠位端部が、第１の上部ビーム、第１の下部ビーム、第２の上部ビーム、および第２の下部ビームを、ガイドプレートに対する横垂直方向の移動に拘束する、前記ガイドプレートと摺動可能に平行移動する接続を有する、請求項１に記載の骨組形成システム。
【請求項３】
中心ビームが、Ｉビームを含む、請求項１に記載の骨組形成システム。
【請求項４】
中心ビームが、側部移植ポートをさらに含む、請求項１に記載の骨組形成システム。
【請求項５】
複数のコネクタ要素の各々が、拡張状態において少なくとも実質的に平行配列に構成されたストラットである、請求項１に記載の骨組形成システム。
【請求項６】
複数のコネクタ要素の各々が、折畳み状態において少なくとも実質的に平行配列に構成されたストラットである、請求項１に記載の骨組形成システム。
【請求項７】
複数のコネクタ要素の各々が、拡張状態および折畳み状態において少なくとも実質的に平行配列に構成されたストラットである、請求項１に記載の骨組形成システム。
【請求項８】
複数のコネクタ要素の各々がストラットであり、
上部ストラットが、第１の上部ビームおよび第２の上部ビームにモノリシックに一体化されて構成され、
下部ストラットが、第１の下部ビームおよび第２の下部ビームにモノリシックに一体化されて構成され、
横垂直方向拡張フレームの上部ストラットおよび下部ストラットが、それぞれ、第１の上部ビームから第２の上部ビームに、第１の上部ビームから第１の下部ビームに、第２の上部ビームから第２の下部ビームに、または第１の下部ビームから第２の下部ビームに拡張する拡張時に、移植片送達窓を開くように構成されている、請求項１に記載の骨組形成システム。
【請求項９】
中心ビームが、第１の側部移植ポートおよび第２の側部移植ポートをさらに含み、
複数の近位コネクタ要素の各々は、拡張状態および折畳み状態において、少なくとも実質的に平行配列された近位ストラットとして構成されるとともに、複数の遠位コネクタ要素の各々は、前記拡張状態および前記折畳み状態において、少なくとも実質的に平行配列に構成された遠位コネクタであり、
上部コネクタストラットが、第１の上部ビームおよび第２の上部ビームにモノリシックに一体化されて構成され、
下部ストラットが、第１の下部ビームおよび第２の下部ビームにモノリシックに一体化されて構成され、
第１の側部ストラットが、前記第１の上部ビームおよび前記第１の下部ビームにモノリシックに一体化されて構成され、
第２の側部ストラットが、前記第２の上部ビームおよび前記第２の下部ビームにモノリシックに一体化されて構成され、
横垂直方向拡張フレームの上部、下部、第１の側部、および第２の側部が、モノリシックに一体のフレームを形成する、請求項１に記載の骨組形成システム。
【請求項１０】
請求項１の骨組形成システム、
前記骨組形成システムを椎骨間腔中に挿入するためのカニューレ、
中心ビームを、横垂直方向拡張フレーム中に誘導するように適合されたガイドワイヤ、および
中心ビームを、前記横垂直方向拡張フレーム中に挿入して、前記骨組形成システムを形成するための拡張ハンドル
を含む、キット。
【請求項１１】
フレームの遠位端部は、前記フレームを折畳み状態から拡張状態へとｉｎ  ｖｉｖｏで変換するとき、第１の上部ビーム、第１の下部ビーム、第２の上部ビーム、および第２の下部ビームを、ガイドプレートに対して横垂直方向の移動に拘束する、前記ガイドプレートと摺動可能に平行移動する接続を有する、請求項１０に記載のキット。
【請求項１２】
前記上部ストラットが、第１の上部ビームおよび第２の上部ビームにモノリシックに一体化されて構成され、
前記下部ストラットが、第１の下部ビームおよび第２の下部ビームにモノリシックに一体化されて構成され、
横垂直方向拡張フレームの上部ストラットおよび下部ストラットが、それぞれ、拡張時に移植片送達窓を開いて、椎骨間腔内での移植片送達を容易化するように構成されている、請求項１０に記載のキット。
【請求項１３】
上部ストラットが、第１の上部ビームおよび第２の上部ビームにモノリシックに一体化されて構成され、
下部ストラットが、第１の下部ビームおよび第２の下部ビームにモノリシックに一体化されて構成され、
第１の側部ストラットが、前記第１の上部ビームおよび前記第１の下部ビームにモノリシックに一体化されて構成され、
第２の側部ストラットが、前記第２の上部ビームおよび前記第２の下部ビームにモノリシックに一体化されて構成され、
横垂直方向拡張フレームの上部、下部、第１の側部、および第２の側部が、モノリシックに一体のフレームを形成する、請求項１０に記載のキット。
【請求項１４】
端部を有する近位部分、端部を有する遠位部分、および中心ビーム軸を有する、中心ビーム、
管腔、第１の上部ビーム、第２の上部ビーム、第１の下部ビーム、および第２の下部ビームを有する、横垂直方向拡張フレームであって、各々が、近位部分および遠位部分を有するとともに、各々が、コネクタ要素によって互いに動作可能に接続されて、拡張状態および折畳み状態を有する、横垂直方向拡張フレームを形成する、前記横垂直方向拡張フレーム
を含み、前記横垂直方向拡張フレームが、前記中心ビームの挿入を受け入れて、拡張状態のフレームを支持し、
コネクタ要素は、拡張状態のフレームの中心軸に垂直な方向の構造剛性を維持する縦方向厚さと横断方向厚さの横断面アスペクト比を有するように構成されたストラットである、椎間腔骨組形成システム。
【請求項１５】
上部ストラットが、第１の上部ビームおよび第２の上部ビームにモノリシックに一体化されて構成され、
下部ストラットが、第１の下部ビームおよび第２の下部ビームにモノリシックに一体化されて構成されている、請求項１４に記載の骨組形成システム。
【請求項１６】
コネクタ要素が、上部ストラット、下部ストラット、第１の側部ストラット、および第２の側部ストラットを含み、
前記上部ストラットが、第１の上部ビームおよび第２の上部ビームにモノリシックに一体化されて構成され、
前記下部ストラットが、第１の下部ビームおよび第２の下部ビームにモノリシックに一体化されて構成され、
前記第１の側部ストラットが、前記第１の上部ビームおよび前記第１の下部ビームにモノリシックに一体化されて構成され、
前記第２の側部ストラットが、前記第２の上部ビームおよび前記第２の下部ビームにモノリシックに一体化されて構成され、
前記ビームおよびストラットが、フレームとモノリシックに一体である、請求項１４に記載の骨組形成システム。
【請求項１７】
フレームの遠位端部が、前記フレームを折畳み状態から拡張状態へとｉｎ  ｖｉｖｏで変換するとき、第１の上部ビーム、第１の下部ビーム、第２の上部ビーム、および第２の下部ビームを、ガイドプレートに対して横垂直方向の移動に拘束するガイドプレートを有する、請求項１４に記載の骨組形成システム。
【請求項１８】
横垂直方向拡張フレームが管腔を有し、ガイドプレートが、前記横垂直方向拡張フレームを椎骨間腔中に挿入するための、ガイドワイヤを可逆式に受け入れるためのコネクタを有する、管腔側を有する、請求項１７に記載の骨組形成システム。
【請求項１９】
中心ビームが、Ｉビームを含む、請求項１６に記載の骨組形成システム。
【請求項２０】
中心ビームが、移植口をさらに含む、請求項１６に記載の骨組形成システム。
【請求項２１】
請求項１６の骨組形成システム；
前記骨組形成システムを椎骨間腔中に挿入するためのカニューレ；
前記中心ビームを、前記横垂直方向拡張フレーム中に誘導するように適合されたガイドワイヤ；
前記中心ビームを、前記横垂直方向拡張フレーム中に挿入して、前記移植片送達システムを形成するための拡張ハンドル
を含む、キット。
【請求項２２】
フレームの前記遠位端部が、前記フレームを折畳み状態から拡張状態へとｉｎ  ｖｉｖｏで変換するとき、第１の上部ビーム、第１の下部ビーム、第２の上部ビーム、および第２の下部ビームを、ガイドプレートに対して横垂直方向の移動に拘束する、前記ガイドプレートと摺動可能に平行移動する接続を有する、請求項２１に記載のキット。
【請求項２３】
中心ビームに動作可能に接触して、ｉｎ  ｖｉｖｏでフレームを支持するように構成された、横垂直方向拡張フレームであって、
折畳み状態と、拡張状態であって、前記椎骨間腔内で前記中心ビームと動作可能に接触する拡張状態と；
端部を有する近位部分、端部を有する遠位部分、および前記拡張状態の中心フレーム軸と；
端部を有する近位部分、および端部を有する遠位部分を含む、第１の上部ビームであって、前記拡張状態において、前記中心ビームの前記第１の上部‐横表面と前記中心ビームの前記第１の上部‐側部表面とに接触して、前記第１の上部ビームの中心軸が、少なくとも実質的に、（ｉ）前記第１の上部ビームの前記中心軸および第２の上部ビームの中心軸を包含する上部平面、および（ｉｉ）前記第１の上部ビームの前記中心軸および第１の下部ビームの中心軸を包含する第１の側部平面の上にあるように構成された、前記第１の上部ビームと、
端部を有する近位部分、および端部を有する遠位部分を含む、第２の上部ビームであって、前記拡張状態において前記中心ビームの前記第２の上部‐横表面および前記中心ビームの前記第２の上部‐側部表面に接触して、前記第２の上部ビームの中心軸が、少なくとも実質的に、（ｉ）前記上部平面、および（ｉｉ）第２の上部ビームの中心軸および第２の下部ビームの中心軸を包含する第２の側部平面の上にあるように構成された、前記第２の上部ビームと、
端部を有する近位部分、および端部を有する遠位部分を含む、第１の下部ビームであって、前記拡張状態において前記中心ビームの前記第１の下部‐横表面および前記中心ビームの前記第１の下部‐側部表面に接触して、前記第１の下部ビームの中心軸が、少なくとも実質的に、（ｉ）前記第１の下部ビームの中心軸および第２の上部ビームの中心軸を包含する下部平面、および（ｉｉ）第１の側部平面の上にあるように構成された、前記第１の下部ビームと、
端部を有する近位部分、および端部を有する遠位領域を含む、第２の下部ビームであって、前記拡張状態において、前記中心ビームの第２の下部‐横表面および前記中心ビームの前記第２の下部‐側部表面に接触して、前記第２の下部ビームの前記中心軸が、少なくとも実質的に、（ｉ）前記下部平面、および（ｉｉ）前記第２の下部ビームの前記中心軸および前記第２の上部ビームを包含する、第２の側部平面の上にあるように構成された、前記第２の下部ビームと、
前記第１の上部ビームの近位部分を前記第２の上部ビームの近位部分に拡張可能に接続するように構成された、複数の上部コネクタ要素であって、拡張することが、少なくとも実質的に、前記上部平面の上の屈曲からなる、前記複数の上部コネクタ要素と、
前記第１の下部ビームの前記近位部分を前記第２の下部ビームの前記近位部分に拡張可能に接続するように構成された、複数の下部コネクタ要素あって、拡張することが、少なくとも実質的に、前記下部平面上での屈曲からなる、前記複数の下部コネクタ要素と、
前記第１の上部ビームの近位部分を前記第１の下部ビームの近位部分に拡張可能に接続するように構成された、複数の第１の側部コネクタ要素であり、拡張することが、少なくとも実質的に、前記第１の側部平面上での屈曲からなる、前記複数の第１の側部コネクタ要素と、
前記第２の上部ビームの前記近位部分を前記第２の下部ビームの前記近位部分に拡張可能に接続するように構成された、複数の第２の側部コネクタ要素であり、拡張することが、少なくとも実質的に、前記第２の側部平面上での屈曲からなる、前記複数の第２の側部コネクタ要素と、
を有し、
コネクタ要素がそれぞれのビームの間にのびるストラットであって、横垂直方向拡張フレームの、拡張状態のフレームの中心軸に垂直な方向の構造剛性を維持する縦方向厚さと横断方向厚さの横断面アスペクト比を有する、前記横垂直方向拡張フレーム。
【請求項２４】
複数の上部ストラットが、第１の上部ビームから第２の上部ビームへ拡張している、上部移植片送達窓を生成するように構成され、
複数の第１の側部ストラットが、第１の上部ビームから第１の下部ビームへ拡張している、第１の側部移植片送達窓を生成するように構成され、
複数の第２の側部ストラットが、第２の上部ビームから第２の下部ビームへ拡張している、第１の側部移植片送達窓を生成するように構成され、または
複数の下部ストラットが、第１の下部ビームから第２の下部ビームへ拡張している、下部移植片送達窓を生成するように構成されている、請求項２３に記載の横垂直方向拡張フレーム。
【請求項２５】
上部ストラットが、第１の上部ビームおよび第２の上部ビームにモノリシックに一体化されて構成され、折り畳み時において遠位上部ストラット方向に屈曲するように適合しており、
下部ストラットが、第１の下部ビームおよび第２の下部ビームにモノリシックに一体化されて構成され、折り畳み時において遠位下部ストラット方向に屈曲するように適合しており、
第１の側部ストラットが、前記第１の上部ビームおよび前記第１の下部ビームにモノリシックに一体化されて構成され、折り畳み時において遠位第１側部ストラット方向に屈曲するように適合しており、
前記第２の側部ストラットが、前記第２の上部ビームおよび前記第２の下部ビームにモノリシックに一体化されて構成され、折り畳み時において遠位第２側部ストラット方向に屈曲するように適合している、
請求項２３に記載の横垂直方向拡張フレーム。